(57)【要約】【課題】静電気放電（ＥＳＤ）や不要輻射（ＥＭＩ）対策としてグランド強化及び安定化を実現したレンズ鏡筒を提供する。【解決手段】基本固定部材１４と、基本固定部材の内部に配設され制御処理若しくは信号処理を行う電子回路及びグランドパターンを実装してなる電子回路基板２２，２３と、電子回路基板のグランドパターンに接続される複数のグランド接点端子２０Ｇを含む複数の接点端子２０を備えた端子台２１と、機器のマウント部に連結される金属製のマウントリング１０とを具備し、複数のグランド接点端子は少なくとも一部が端子台の外周面に露呈されるように形成されており、端子台の外周面はマウントリングの内周面に接触させて配設されている。【選択図】図３
2016161588.tif 000002
【特許請求の範囲】
【請求項１】
基本固定部材と、
上記基本固定部材の内部に配設され制御処理若しくは信号処理を行う電子回路及びグランドパターンを実装してなる電子回路基板と、
上記電子回路基板の上記グランドパターンに接続される複数のグランド接点端子を含む複数の接点端子を備えた端子台と、
機器のマウント部に連結される金属製のマウントリングと、
を具備し、
上記複数のグランド接点端子は、少なくとも一部が上記端子台の外周面に露呈されるように形成されており、
上記端子台の外周面は、上記マウントリングの内周面に接触させて配設されていることを特徴とするレンズ鏡筒。
【請求項２】
上記端子台は、上記複数の接点端子と一体にモールド成型によって形成されていることを特徴とする請求項１に記載のレンズ鏡筒。
【請求項３】
上記複数の接点端子は、上記電子回路基板上に半田付けにて接合されていることを特徴とする請求項１に記載のレンズ鏡筒。
【請求項４】
上記電気回路基板は、硬質基板であることを特徴とする請求項１に記載のレンズ鏡筒。
【請求項５】
上記電気回路基板は、フレキシブルプリント基板を介して接続される硬質基板であることを特徴とする請求項１に記載のレンズ鏡筒。
【請求項６】
上記複数のグランド接点端子は、上記端子台の外面に沿うように配置されていることを特徴とする請求項１に記載のレンズ鏡筒。
【請求項７】
上記複数のグランド接点端子は、上記端子台の内部に埋設されており、一部が上記端子台の外周面に露呈し、端部が上記電子回路基板に接合されていることを特徴とする請求項１に記載のレンズ鏡筒。
【請求項８】
上記マウントリングの内周面に上記端子台の外周面を当接させて固定する金属製のビスを、さらに具備し、
上記金属製のビスは、上記マウントリングに形成されたビス穴を貫通した後、上記グランド接点端子に形成されたビス穴を貫通して、上記端子台に形成されたビス穴に螺合することを特徴とする請求項１に記載のレンズ鏡筒。
【請求項９】
上記マウントリングの内周面に上記端子台の外周面を当接させて固定する金属製のビスを、さらに具備し、
上記マウントリングと上記複数のグランド接点端子のうちの少なくとも一つは、上記金属製のビスを介して導通していることを特徴とする請求項１に記載のレンズ鏡筒。
【請求項１０】
上記端子台の上記複数の接点端子は、光軸に直交する面内に配置されていることを特徴とする請求項１に記載のレンズ鏡筒。
【請求項１１】
上記端子台は、上記マウントリングに固定される際の位置決めを行う位置決め部を具備していることを特徴とする請求項１に記載のレンズ鏡筒。
【発明の詳細な説明】
【技術分野】
【０００１】
この発明は、静電気放電（ＥＳＤ）や不要輻射（ＥＭＩ）に対応してグランド強化及び安定化を実現し得る構造を備えたレンズ鏡筒に関するものである。
【背景技術】
【０００２】
近年、撮像光学系により結像された光学像を、光電変換素子等を用いて電子的な画像データに変換して、これを記憶媒体に記憶したり、当該画像データに基づいて表示装置を用いて画像を表示し得るように構成された撮像装置（デジタルカメラ，ビデオカメラ等）が一般に実用化され広く普及している。この種の撮像装置においては、撮像光学系を備えたレンズ鏡筒をカメラ本体（ボディ）の前面に対して着脱自在に構成した形態のいわゆるレンズ交換式の撮像装置がある。
【０００３】
この種の撮像装置においては、カメラ本体（ボディ）側の内部に制御処理系や信号処理系の各種の電子回路基板が設けられていると共に、レンズ鏡筒側の内部にも同様にレンズ鏡筒内の制御処理や信号処理等を行なうために各種電子回路基板を備えて構成されているものが一般的な形態となっている。
【０００４】
したがって、カメラ本体（ボディ）だけでなく、レンズ鏡筒側においても静電気放電（ＥＳＤ；ElectroStatic Discharge）や不要輻射（ＥＭＩ；Electro-Magnetic Interference）等に対応し、これらを抑止する対策としてグランド（ＧＮＤ；接地）の領域を確保する必要がある。
【０００５】
一般に、撮像装置等に用いられるレンズ鏡筒は、全体として円筒形状によって形成されており、その内部の主要部分には撮像光学系とその駆動機構が配置されることになる。このことから、レンズ鏡筒側に備わる電子回路基板は狭く限られたスペースを利用して配置せざるを得ず、その形状が不定形状になる傾向がある。したがって、レンズ鏡筒においては充分なグランド領域を確保することができず、よって静電気放電（ＥＳＤ）や不要輻射（ＥＭＩ）についての抑止対策に関するさらなる工夫が要求されている。
【０００６】
また、近年の撮像装置においては、小型軽量化や外観品質の向上等を目的として、外装部材をはじめとした主要構成部材を、例えば樹脂素材等、加工の容易な不伝導体が用いられることが多くなっている。
【０００７】
例えば特開２０１４−２４０８５８号公報によって開示されている撮像装置は、カメラマウント部を、金属部材と樹脂部材とを一体として形成するようにしている。具体的には、カメラマウント部の外周面は摺動性や耐摩耗性に優れた樹脂素材によって形成する一方、上記外周面よりも内側の部分であって、比較的大きな力量が付与されるような部位（例えばレンズ鏡筒の重量を支持するような部位）には、高い強度を有する金属素材を使用して形成している。
【０００８】
一方、特開２０１１−１４５３２２号公報によって開示されているレンズ鏡筒においては、レンズ制御用電子回路基板のグランドパターンと金属蓋（金属製マウント部）とを導通させるために、緩衝部材によって上記基板を固定するビスを金属部材に向けて押圧することにより、当該金属部材を介して金属マウント部との電気的な接触を確保するように構成している。
【先行技術文献】
【特許文献】
【０００９】
【特許文献１】特開２０１４−２４０８５８号公報
【特許文献２】特開２０１１−１４５３２２号公報
【発明の概要】
【発明が解決しようとする課題】
【００１０】
ところが、上記特開２０１４−２４０８５８号公報によって開示されている撮像装置においては、カメラマウント部の一部が樹脂素材によって形成されているので、カメラボディにレンズ鏡筒を装着した状態において、両者間の接続部分において金属部同士の接触面積を充分に確保することができず、よって、静電気放電（ＥＳＤ）や不要輻射（ＥＭＩ）等の対策のためのグランド（ＧＮＤ；接地）領域の確保が充分にできないという問題点がある。
【００１１】
また、上記特開２０１１−１４５３２２号公報によって開示されている撮像装置においては、電子回路基板と金属マウント部との間に介在する構成部材（緩衝部材や導電性接続部材等）を多く必要とするので、組み立てやメンテナンス性が煩雑になると共に、個々の部品精度に起因して組み立てによるばらつきが生じやすく、安定したグランド（ＧＲＤ；接地）を得られないという問題点がある。
【００１２】
本発明は、上述した点に鑑みてなされたものであって、その目的とするところは、静電気放電（ＥＳＤ）や不要輻射（ＥＭＩ）に対応させて、グランド強化及びグランドの安定化を実現することのできる構造を具備するレンズ鏡筒を提供することである。
【課題を解決するための手段】
【００１３】
上記目的を達成するために、本発明の一態様のレンズ鏡筒は、基本固定部材と、上記基本固定部材の内部に配設され制御処理若しくは信号処理を行う電子回路及びグランドパターンを実装してなる電子回路基板と、上記電子回路基板の上記グランドパターンに接続される複数のグランド接点端子を含む複数の接点端子を備えた端子台と、機器のマウント部に連結される金属製のマウントリングとを具備し、上記複数のグランド接点端子は、少なくとも一部が上記端子台の外周面に露呈されるように形成されており、上記端子台の外周面は、上記マウントリングの内周面に接触させて配設されている。
【発明の効果】
【００１４】
本発明によれば、静電気放電（ＥＳＤ）や不要輻射（ＥＭＩ）に対応させて、グランド強化及びグランドの安定化を実現することのできる構造を具備するレンズ鏡筒を提供することができる。
【図面の簡単な説明】
【００１５】
【図１】本発明の第１の実施形態のレンズ鏡筒を側方より見た際の外観側面図
【図２】図１のレンズ鏡筒を後方から見た際の外観背面図
【図３】図１の矢印符号［Ａ］で示す部位の内部構造を拡大して示す要部拡大縦断面図（図２の［Ｂ］−［Ｂ］線に沿う断面図）
【図４】図１のレンズ鏡筒のうち端子台と電子回路基板のみを取り出して示す要部拡大斜視図
【図５】図４から端子台の樹脂成形部分を取り除き電子回路基板の一部と複数の接点端子を上面から見た外観図
【図６】本発明の第２の実施形態のレンズ鏡筒の一部（図１の矢印符号［Ａ］で示す部位に相当する部分）の内部構造を拡大して示す要部拡大縦断面図（図２の［Ｂ］−［Ｂ］線に沿う部分に相当する断面図）
【図７】本実施形態のレンズ鏡筒のうち端子台と電子回路基板のみを取り出して示す要部拡大斜視図
【図８】図７から端子台の樹脂成形部分を取り除き電子回路基板の一部と複数の接点端子を上面から見た外観図
【図９】本発明の第３の実施形態のレンズ鏡筒の一部（図１の矢印符号［Ａ］で示す部位に相当する部分）の内部構造を拡大して示す要部拡大縦断面図（図２の［Ｂ］−［Ｃ］線に沿う部分に相当する断面図）
【図１０】本実施形態のレンズ鏡筒のうち端子台と電子回路基板のみを取り出して示す要部拡大斜視図
【図１１】図１０から端子台の樹脂成形部分を取り除き電子回路基板の一部と複数の接点端子を上面から見た外観図
【発明を実施するための形態】
【００１６】
以下、図示の実施の形態によって本発明を説明する。以下の説明に用いる各図面は模式的に示すものであり、各構成要素を図面上で認識可能な程度の大きさで示すために、各部材の寸法関係や縮尺等を各構成要素毎に異ならせて示している場合がある。したがって、本発明は、これら各図面に記載された構成要素の数量，構成要素の形状，構成要素の大きさの比率，各構成要素の相対的な位置関係等に関し、図示の形態のみに限定されるものではない。
【００１７】
本発明の各実施形態は、例えば光学レンズ等からなる撮像光学系によって結像される光学像を固体撮像素子を用いて光電変換し、これによって得られる画像信号を静止画像又は動画像を表わすデジタル画像データに変換し、こうして生成されたデジタル画像データを記憶媒体に記憶し、また同デジタル画像データに基いて静止画像又は動画像を表示装置に再生表示し得るように構成される撮像装置（以下、カメラという）に対し着脱自在に構成されるレンズ鏡筒に適用した場合の例示である。
【００１８】
また、本実施形態においては、レンズ鏡筒における撮影光学系の光軸を符号Ｏで表す。この光軸Ｏに沿う方向において、当該レンズ鏡筒が装着されるカメラ（不図示）の前面に対向する被写体のある側を前方というものとし、当該レンズ鏡筒のマウント部の配設されている側を後方というものとする。
［第１の実施形態］
図１，図２は、本発明の第１の実施形態のレンズ鏡筒の外観を示す図である。このうち図１は、本実施形態のレンズ鏡筒の側方より見た際の外観側面図である。図２は、同レンズ鏡筒の後方から見た際の外観背面図である。図３は、図１の矢印符号［Ａ］で示す部位の内部構造を拡大して示す要部拡大縦断面図である。なお、図３は、図２の［Ｂ］−［Ｂ］線に沿う断面である。図４は本実施形態のレンズ鏡筒のうち端子台と電子回路基板のみを取り出して示す要部拡大斜視図である。図５は、図４から端子台の樹脂成形部分を取り除き電子回路基板の一部と複数の接点端子を上面から見た外観図である。
【００１９】
まず、本実施形態のレンズ鏡筒１の全体構成の概略について、図１，図２を用いて以下に説明する。本実施形態のレンズ鏡筒１は、カメラ（不図示）の前面に装着される交換式のレンズ鏡筒である。そのために、当該レンズ鏡筒１は、カメラ（不図示）側のレンズ装着部であるマウント部（不図示）に対してバヨネット結合し得るように形成されたレンズ側マウントリング（以下、単にマウントリングという）１０を有している。マウントリング１０は、バヨネット爪を有して構成され、例えば金属部材（導電性部材）を削り出し加工等によって形成される円環形状の部材である。マウントリング１０は、当該レンズ鏡筒１の最後端部において、例えば基本固定部材であるシャーシ１４等の固定部に対して複数（本実施形態では四本）のビス１０ａを用いて締結固定されている。
【００２０】
レンズ鏡筒１は、基本固定部材であって外装部材の一部となるシャーシ１４を含む複数の円筒形状部材を用いて、全体として円筒形状に形成されている。このレンズ鏡筒１の内部には、複数の光学レンズ等からなる撮像光学系（不図示）と、この撮像光学系を構成する複数の光学レンズをそれぞれ保持する複数の保持枠（不図示）と、これら複数の保持枠を光軸Ｏに沿う方向に進退駆動するための駆動機構（不図示）等の構成ユニットを有している。なお、これらの内部構成部材については、本実施形態に直接関連しない部分であるので、その図示及び構成の詳細説明は省略する。
【００２１】
レンズ鏡筒１の外面には、例えばズームリング１１，フォーカスリング１２，レンズファンクションボタン１３等の各種の操作部材や、当該レンズ鏡筒１とは別体で用意される三脚座（不図示）を取り付ける際にその位置決めを行う複数の三脚座位置決め用ボス１５が設けられている。なお、上記複数の三脚座位置決め用ボス１５は、本実施形態においては、図２に示すように四個設けられている例を示している。
【００２２】
このように構成される本実施形態のレンズ鏡筒１において、その内部構成のうちマウントリング１０の配設されている近傍部位（図１に示す矢印符号［Ａ］で示す部位）の内部構成の詳細を、主に図３〜図５を用いて以下に説明する。
【００２３】
レンズ鏡筒１の後端部位には、外装部材として上記シャーシ１４が配設されている。このシャーシ１４の内側には、当該レンズ鏡筒１における各種の内部構成ユニットを固定支持するための固定部材であり略円筒形状に形成されるフレーム１６が配設されている。このフレーム１６は樹脂素材により形成されている。
【００２４】
上記フレーム１６の内周側の後端部には、上記マウントリング１０が嵌合した状態で固定されている。この場合において、上記フレーム１６の内周面とマウントリング１０の外周面との間には、ゴム等の弾性部材からなるパッキン部材１７が介在している。このパッキン部材１７は、当該レンズ鏡筒１の内部への塵埃や水滴等が浸入するのを阻止して、外部に対する水密性を保持し、当該レンズ鏡筒１の防塵防滴構造を実現するために設けられている。
【００２５】
マウントリング１０の内周側には、端子台２１が配設されている。この端子台２１は、金属素材からなる複数の接点端子２０を例えばインサート成形により一体に形成した樹脂製部材からなり、上記複数の接点端子２０を支持する支持体である。
【００２６】
上記端子台２１は、上記マウントリング１０の内周側の所定の部位（不図示）に対し、位置決め用の切欠部２１ｃが位置決め固定された上で、例えばビス等を用いて固設されている。そのためのビス穴２１ａが端子台２１の外周面側に設けられている。なお、このとき、端子台２１の外周面がマウントリング１０の内周面に沿って当接して各面同士が接触し得るように、上記端子台２１の外周面は、マウントリング１０の内周面に合わせた曲率の円弧状曲面となるように形成されている。
【００２７】
上記端子台２１に設けられる上記複数の接点端子２０は、カメラ（不図示）側のマウント部（不図示）の内部に設けられる複数の接点端子（不図示）に対応させて設けられる複数の接点である。したがって、カメラ（不図示）に対し本実施形態のレンズ鏡筒１が装着された状態となったとき、上記複数の接点端子２０のそれぞれは、カメラ（不図示）側のマウント部（不図示）の複数の接点端子（不図示）のそれぞれに接触して、レンズ鏡筒１とカメラ（不図示）との間の電気的な接続が確保されるように構成されている。
【００２８】
上記端子台２１の内側部位には、電子回路基板（２２，２３）が配設されている。この電子回路基板は、シャーシ１４の内部に配設され、レンズ鏡筒１側の制御処理や（若しくは）信号処理等を行う電子回路とグランドパターン等を実装してなる回路基板である。
【００２９】
この電子回路基板の構成の一例として、本実施形態においては、硬質基板２３とフレキシブルプリント基板２２とによって構成した例を示している。即ち、硬質基板２３は、例えばシャーシ１４の内側の固定部位（不図示）に対して図示しない手段、例えばビス等を用いて固設されている。硬質基板２３には、フレキシブルプリント基板２２の一端がコネクタ若しくは半田付け等の手段により接続若しくは接合されており、当該フレキシブルプリント基板２２の他端近傍には、上記端子台２１の基端から露呈している複数の接点端子２０の基端部２０ｅ（後述する；図３等参照）が半田付け等の接合手段により接合されている。この構成により、電子回路基板としての硬質基板２３は、フレキシブルプリント基板２２を介して端子台２１の複数の接点端子２０に電気的に接続されている。なお、上記フレキシブルプリント基板２２は、レンズ鏡筒１の内部にて折り畳まれた形態で配置されている。
【００３０】
なお、上記複数の接点端子２０のうちのいくつかは、上記電子回路基板（２２，２３）のグランドパターンに接続されるグランド接点端子２０Ｇである。本実施形態においては、グランド接点端子２０Ｇが三個設けられた例を示している。
【００３１】
接点端子２０は、端子台２１の後方側の外面に向けて露呈する部位である接点部２０ａが一端に形成され、他端が端子台２１の基端に露呈する基端部２０ｅとを有して構成されている。そして、接点部２０ａと基端部２０ｅとの間は、端子台２１の内部に埋設された状態で連続的に接続されている。
【００３２】
一方、本実施形態において、上記複数の接点端子２０のうちグランド接点端子２０Ｇは、次のように構成されている。即ち、グランド接点端子２０Ｇは、上記接点端子２０と同形態の上記接点部２０ａと、この接点部２０ａから同平面上において当該レンズ鏡筒１の径方向に延出する延出部２０ｂと、この延出部２０ｂの先端で端子台２１の外周面に沿って光軸に沿う方向であって前方に向けて延出し当該端子台２１の外周面上に露呈される部位となる露呈部２０ｃと、上記露呈部２０ｃの先端から再び端子台２１の内部へ向かって延出して内部に埋設される部位となる内部連設部２０ｄと、上記内部連設部２０ｄの先端が端子台２１の基端側において外部に延出して当該端子台２１の基端に露呈する基端部２０ｅとを有して構成されている。
【００３３】
当該レンズ鏡筒１を組み立てたときには、上述したように、上記マウントリング１０の内周面に沿って上記端子台２１の外周面が当接して各面同士が接触するように配置される。したがって、このとき、グランド接点端子２０Ｇの露呈部２０ｃは、マウントリング１０の内周面に接触し、グランド接点端子２０Ｇとマウントリング１０との間に導通状態が確保される。
【００３４】
以上説明したように上記第１の実施形態によれば、マウントリング１０に固定される端子台２１の複数の接点端子２０のうちのグランド接点端子２０Ｇの形状を工夫して、グランド接点端子２０Ｇをグランドインピーダンスの低いマウントリング１０に直接接触するように形成したので、広いグランド領域を確保することができると同時に、低インピーダンス化を実現でき、よって、レンズ鏡筒１の内部に設けた電子回路基板（２２，２３）と、同レンズ鏡筒１の外装部材であるシャーシ１４（に接続されるマウントリング１０）との間のグランド電位差を極力同一なものとすることができる。
【００３５】
したがって、上記構成による静電気放電（ＥＳＤ）対策及び不要輻射（ＥＭＩ）対策を施すことによって、レンズ鏡筒１のグランド強化及びグランドの安定化を実現することができる。
【００３６】
［第２の実施形態］
次に、本発明の第２の実施形態を以下に説明する。本実施形態の基本的な構成は、上述の第１の実施形態と略同様であって、端子台２１に一体にインサート成形されて埋設される複数の接点端子２０のうちの複数のグランド接点端子２０ＧＡの形状が異なるのみである。したがって、上述の第１の実施形態と同じ構成については、同じ符号を付して、その詳細説明は省略し異なる部分を以下に詳述する。
【００３７】
図６〜図８は、本発明の第２の実施形態を示す図である。このうち図６は、上述の第１の実施形態における図３に相当し、本実施形態のレンズ鏡筒の一部（図１の矢印符号［Ａ］で示す部位に相当する部分）の内部構造を拡大して示す要部拡大縦断面図である。なお、図６は、図２の［Ｂ］−［Ｂ］線に沿う部分に相当する断面を示している。図７は、上述の第１の実施形態における図４に相当し、本実施形態のレンズ鏡筒のうち端子台と電子回路基板のみを取り出して示す要部拡大斜視図である。図８は、上述の第１の実施形態における図５に相当し、図７から端子台の樹脂成形部分を取り除き電子回路基板の一部と複数の接点端子を上面から見た外観図である。
【００３８】
本実施形態のレンズ鏡筒において、端子台２１に設けられる複数の接点端子２０のうちにグランド接点端子２０ＧＡとして三個を設けている（図７，図８参照）。本実施形態におけるグランド接点端子２０ＧＡは、主に図６に示すように、接点部２０ａ（上述の第１の実施形態における接点端子２０の接点部２０ａと全く同形態）と、この接点部２０ａから端子台２１の内部へ向かって延出し内部に埋設される部位である第１内部連設部２０ｂＡと、この第１内部連設部２０ｂＡから外部に向けて延出し端子台２１の外周面に露呈する露呈部２０ｃＡと、この露呈部２０ｃＡから再び端子台２１の内部へ向かって延出し内部に埋設される第２の内部連設部２０ｄ（上述の第１の実施形態における接点端子２０の内部連設部２０ｄと全く同形態）と、この第２の内部連設部２０ｄから延出する基端部２０ｅ（上述の第１の実施形態における接点端子２０の基端部２０ｅと全く同形態）とを有して構成されている。そして、この基端部２０ｅは、電子回路基板であるフレキシブルプリント基板２２に対して半田付け等の接合手段を用いて接合されている。
【００３９】
つまり、本実施形態のグランド接点端子２０ＧＡにおいては、上述の第１の実施形態に示したグランド接点端子２０Ｇの構成に対して、端子台２１の外周面に向けて露呈される部位の形態が異なる。具体的には、上述の第１の実施形態におけるグランド接点端子２０Ｇの露呈部２０ｃに代えて、本実施形態のグランド接点端子２０Ｇにおいては、上述した形態（図６等に示す形態）の露呈部２０ｃＡを有して形成している。その他の構成は上述の第１の実施形態と同様である。
【００４０】
このように構成された本実施形態のレンズ鏡筒においても、レンズ鏡筒を組み立てたとき、マウントリング１０の内周面に沿って端子台２１の外周面が当接し各面同士が接触する。このとき、グランド接点端子２０ＧＡの露呈部２０ｃＡがマウントリング１０の内周面に接触する。これにより、グランド接点端子２０ＧＡとマウントリング１０との間に導通状態が確保される。
【００４１】
以上説明したように上記第２の実施形態によれば、上述の第１の実施形態と全く同様の効果を得ることができる。
【００４２】
［第３の実施形態］
次に、本発明の第３の実施形態を以下に説明する。本実施形態の基本的な構成は、上述の第２の実施形態と略同様であって、端子台２１に一体にインサート成形されて埋設される複数の接点端子２０のうちの複数のグランド接点端子２０ＧＢのうちの少なくとも一つ（符号２０ＧＢ参照）の形状が異なるのみである。したがって、上述の第１，第２の実施形態と同じ構成については、同じ符号を付して、その詳細説明は省略し異なる部分を以下に詳述する。
【００４３】
図９〜図１１は、本発明の第３の実施形態を示す図である。このうち図９は、上述の第１の実施形態における図３（又は第２の実施形態における図６）に相当し、本実施形態のレンズ鏡筒の一部（図１の矢印符号［Ａ］で示す部位に相当する部分）の内部構造を拡大して示す要部拡大縦断面図である。なお、図９は、図２の［Ｂ］−［Ｃ］線に沿う部分に相当する断面を示している（第１，第２実施形態における部位とは異なる断面となっていることに注意）。図１０は、上述の第１の実施形態における図４（又は第２の実施形態における図７）に相当し、本実施形態のレンズ鏡筒のうち端子台と電子回路基板のみを取り出して示す要部拡大斜視図である。図１１は、上述の第１の実施形態における図５（又は第２の実施形態における図８）に相当し、図１０から端子台の樹脂成形部分を取り除き電子回路基板の一部と複数の接点端子を上面から見た外観図である。
【００４４】
本実施形態のレンズ鏡筒において、端子台２１に設けられる複数の接点端子２０のうちにグランド接点端子として三個設けている。さらに、本実施形態においては、この三個のグランド接点端子のうち二個は上述の第２の実施形態と同様の形態のグランド接点端子２０ＧＡとし、他の一個を異なる形態のグランド接点端子２０ＧＢとして構成している。
【００４５】
本実施形態において、上記異なる形態のグランド接点端子２０ＧＢは、基本的には上記第２の実施形態におけるグランド接点端子２０ＧＡと略同様構成であるが、端子台２１の外周面に露呈する露呈部２０ｃＢの形状が異なる。
【００４６】
つまり、本実施形態における（上記異なる形態の）グランド接点端子２０ＧＢの露呈部２０ｃＢは、（上記第２の実施形態と同形状の）他の二個のグランド接点端子２０ＧＡの露呈部２０ｃＡに対し、さらに端子台２１の外周面に沿って周方向に延出する延出露呈部２０ｆを有して形成されている。この延出露呈部２０ｆには、所定の部位にビス挿通穴２０ｇが穿設されている（図１１参照）。なお、図１１においては、ビス挿通穴２０ｇの図示を明確化するために、当該ビス挿通穴２０ｇの近傍部分を部分断面図として示している。このビス挿通穴２０ｇは、当該端子台２１がインサート成形により形成されるとき、端子台２１に形成され当該端子台２１をマウントリング１０に取り付けるためのビス２１ｂが螺合するビス穴２１ａと略一致する位置に形成されている。その他の構成は上述の第１の実施形態と同様である。
【００４７】
このように構成された本実施形態のレンズ鏡筒においても、レンズ鏡筒を組み立てたとき、マウントリング１０の内周面に沿って端子台２１の外周面が当接し各面同士が接触する。このとき、グランド接点端子２０ＧＡ，２０ＧＢの露呈部２０ｃＡに加えて、グランド接点端子２０ＧＢの延出露呈部２０ｆのそれぞれがマウントリング１０の内周面に接触する。そして、この状態で端子台２１は、マウントリング１０に対して、図９に示すように、ビス２１ｂを用いて固定される。このとき、ビス２１ｂは、マウントリング１０と延出露呈部２０ｆとに同時に接触した状態となる。これにより、グランド接点端子２０ＧＡ，２０ＧＢとマウントリング１０との間の導通状態が確保される。
【００４８】
以上説明したように上記第３の実施形態によれば、上述の第１，第２の実施形態と全く同様の効果を得ることができ、さらに広い接触面積を確保することができる。
【００４９】
なお、本発明は上述した実施形態に限定されるものではなく、発明の主旨を逸脱しない範囲内において種々の変形や応用を実施し得ることが可能であることは勿論である。さらに、上記実施形態には、種々の段階の発明が含まれており、開示される複数の構成要件における適宜な組み合わせによって、種々の発明が抽出され得る。例えば、上記一実施形態に示される全構成要件から幾つかの構成要件が削除されても、発明が解決しようとする課題が解決でき、発明の効果が得られる場合には、この構成要件が削除された構成が発明として抽出され得る。さらに、異なる実施形態にわたる構成要素を適宜組み合わせてもよい。
【符号の説明】
【００５０】
１……レンズ鏡筒，
１０……マウントリング，
１０ａ……ビス，
１１……ズームリング，
１２……フォーカスリング，
１３……レンズファンクションボタン，
１４……シャーシ，
１５……三脚座位置決め用ボス，
１６……フレーム，
１７……パッキン部材，
２０……接点端子，
２０Ｇ，２０ＧＡ，２０ＧＢ……グランド接点端子，
２０ａ……接点部，
２０ｂ……延出部，
２０ｂＡ……内部連設部，第１内部連設部，
２０ｃ，２０ｃＡ，２０ｃＢ……露呈部，
２０ｄ……内部連設部，第２の内部連通部，
２０ｅ……基端部，
２０ｆ……延出露呈部，
２０ｇ……ビス挿通穴，
２１……端子台，
２１ａ……ビス穴，
２１ｂ……ビス，
２１ｃ……切欠部，
２２……フレキシブルプリント基板，
２３……硬質基板，
【図１】
2016161588.tif 000003
【図２】
2016161588.tif 000004
【図３】
2016161588.tif 000005
【図４】
2016161588.tif 000006
【図５】
2016161588.tif 000007
【図６】
2016161588.tif 000008
【図７】
2016161588.tif 000009
【図８】
2016161588.tif 000010
【図９】
2016161588.tif 000011
【図１０】
2016161588.tif 000012
【図１１】
2016161588.tif 000013